(57)【特許請求の範囲】
【請求項１】
独居者により操作される家電機器の操作状況を検出する操作状況検出手段と、
前記操作状況検出手段により計数された、時間帯別の操作回数の履歴を記憶する履歴記憶手段と、
予め設定された正規化された時間帯別に、履歴より求められた条件と、該条件が成立したときの独居者の安否情報とを対応付けたルールを記憶するルール記憶手段と、
前記独居者毎に定められた基準に従い具体化された前記時間帯の中から現在時刻が属す時間帯を特定する時間帯特定手段と、
前記操作状況検出手段により求められた計数値であって前記時間帯特定手段が特定した時間帯を基準に決定される時間帯における計数値と、前記履歴記憶手段に記録されている履歴とに基づいて、前記ルールに設定されている条件が成立するか否かを判別し、条件が成立しているルールに従って独居者の安否情報を取得する安否情報取得手段と、
前記安否情報取得手段により取得された安否情報を出力する出力手段と、
予め決められた宛先に電子メールを送信するメール送信手段と、を備え、
前記ルールは、時間帯別に、履歴より求められる該時間帯における過去の平均的操作回数と、直近の同一時間帯における計数値との比と、安否情報とを対応付けて記憶しており、
前記安否情報取得手段は、前記操作状況検出手段により求められた過去の平均的操作回数と直近の同一時間帯における計数値との比に基づいて、前記ルールに設定されている条件が成立するか否かを判別し、条件が成立しているルールに従って安否情報を取得し、
前記安否情報は、前記独居者の安否の危険度と該危険度の確信度とを含み、
前記ルールは、時間帯別に、操作状況と危険度と確信度とを対応付ける情報を含み、
前記メール送信手段は、
前記出力手段が出力した安否情報を取得し、
取得した安否情報に含まれる危険度が、予め設定された第１の範囲の値であった場合には電子メールの送信適否を監視者に問い合わせ、問い合わせた結果、前記監視者から電子メールを送信するとの指示を取得した場合には電子メールを送信し、前記監視者から電子メールの送信は不要との指示を取得した場合には電子メールを送信せず、
取得した安否情報に含まれる危険度が、前記第１の範囲より高い危険度の第２の範囲の値であった場合には電子メールの送信適否を前記監視者に問い合わせることなく電子メールを送信する、
ことを特徴とする独居者見守りシステム。
【請求項２】
コンピュータに、
独居者により操作される家電機器の操作状況を検出する操作状況検出ステップと、
前記操作状況検出ステップで計数された、時間帯別の操作回数の履歴を記憶する履歴記憶ステップと、
予め設定された正規化された時間帯別に、履歴より求められた条件と、該条件が成立したときの独居者の安否情報とを対応付けたルールを記憶するルール記憶ステップと、
前記独居者毎に定められた基準に従い具体化された前記時間帯の中から現在時刻が属す時間帯を特定する時間帯特定ステップと、
前記操作状況検出ステップで求められた計数値であって前記時間帯特定ステップで特定した時間帯を基準に決定される時間帯における計数値と、前記履歴記憶ステップで記録された履歴とに基づいて、前記ルールに設定されている条件が成立するか否かを判別し、条件が成立しているルールに従って独居者の安否情報を取得する安否情報取得ステップと、
前記安否情報取得ステップにより取得された安否情報を出力する出力ステップと、
予め決められた宛先に電子メールを送信するメール送信ステップと、を実行させ、
前記ルールは、時間帯別に、履歴より求められる該時間帯における過去の平均的操作回数と、直近の同一時間帯における計数値との比と、安否情報とを対応付けて記憶しており、
前記安否情報取得ステップでは、前記操作状況検出ステップで求められた過去の平均的操作回数と直近の同一時間帯における計数値との比に基づいて、前記ルールに設定されている条件が成立するか否かを判別し、条件が成立しているルールに従って安否情報を取得し、
前記安否情報は、前記独居者の安否の危険度と該危険度の確信度とを含み、
前記ルールは、時間帯別に、操作状況と危険度と確信度とを対応付ける情報を含み、
前記メール送信ステップでは、
前記出力ステップで出力した安否情報を取得し、
取得した安否情報に含まれる危険度が、予め設定された第１の範囲の値であった場合には電子メールの送信適否を監視者に問い合わせ、問い合わせた結果、前記監視者から電子メールを送信するとの指示を取得した場合には電子メールを送信し、前記監視者から電子メールの送信は不要との指示を取得した場合には電子メールを送信せず、
取得した安否情報に含まれる危険度が、前記第１の範囲より高い危険度の第２の範囲の値であった場合には電子メールの送信適否を前記監視者に問い合わせることなく電子メールを送信する、
ことを特徴とする独居者見守りプログラム。
【請求項３】
独居者の異常を検知する独居者見守りシステムにて実行される独居者見守り方法であって、
独居者により操作される家電機器の操作状況を検出する操作状況検出ステップと、
前記操作状況検出ステップで計数された、時間帯別の操作回数の履歴を記憶する履歴記憶ステップと、
予め設定された正規化された時間帯別に、履歴より求められた条件と、該条件が成立したときの独居者の安否情報とを対応付けたルールを記憶するルール記憶ステップと、
前記独居者毎に定められた基準に従い具体化された前記時間帯の中から現在時刻が属す時間帯を特定する時間帯特定ステップと、
前記操作状況検出ステップで求められた計数値であって前記時間帯特定ステップで特定した時間帯を基準に決定される時間帯における計数値と、前記履歴記憶ステップで記録された履歴とに基づいて、前記ルールに設定されている条件が成立するか否かを判別し、条件が成立しているルールに従って独居者の安否情報を取得する安否情報取得ステップと、
前記安否情報取得ステップにより取得された安否情報を出力する出力ステップと、
予め決められた宛先に電子メールを送信するメール送信ステップと、を備え、
前記ルールは、時間帯別に、履歴より求められる該時間帯における過去の平均的操作回数と、直近の同一時間帯における計数値との比と、安否情報とを対応付けて記憶しており、
前記安否情報取得ステップでは、前記操作状況検出ステップで求められた過去の平均的操作回数と直近の同一時間帯における計数値との比に基づいて、前記ルールに設定されている条件が成立するか否かを判別し、条件が成立しているルールに従って安否情報を取得し、
前記安否情報は、前記独居者の安否の危険度と該危険度の確信度とを含み、
前記ルールは、時間帯別に、操作状況と危険度と確信度とを対応付ける情報を含み、
前記メール送信ステップでは、
前記出力ステップで出力した安否情報を取得し、
取得した安否情報に含まれる危険度が、予め設定された第１の範囲の値であった場合には電子メールの送信適否を監視者に問い合わせ、問い合わせた結果、前記監視者から電子メールを送信するとの指示を取得した場合には電子メールを送信し、前記監視者から電子メールの送信は不要との指示を取得した場合には電子メールを送信せず、
取得した安否情報に含まれる危険度が、前記第１の範囲より高い危険度の第２の範囲の値であった場合には電子メールの送信適否を前記監視者に問い合わせることなく電子メールを送信する、
ことを特徴とする独居者見守り方法。
【発明の詳細な説明】
【技術分野】
【０００１】
本発明は、独居者の安否状態を検知し、監視者に対し警報を発するシステム、方法及びプログラムに関する。
【背景技術】
【０００２】
近年、高齢化の影響で、高齢者独居世帯が増加している。これらの人々は、隣人や社会との接点が乏しいことから、周囲に知られないまま孤独死する場合も有り、社会問題として取り沙汰されている。
【０００３】
上述の理由から、独居者の見守りを行うために、独居世帯の家電装置の動作状態や動作時間に焦点を当て、独居者の安否状態を検知するためのシステムが提案されている。
【０００４】
例えば、特許文献１は、監視対象者の住居内の家電機器の動作状態（連続動作時間や連続不動作時間など）を、通電情報を基に検出し、住居外の管理機関がこの情報を管理することで、監視者に対し情報を送信する生活モニタリングシステムを開示している。
【０００５】
また、特許文献２は、監視対象者の住居の配電網上における電気信号を基に、家電機器の動作状態を検出し、これらの情報から生成した追跡データで監視対象者の行動を確率的に評価する遠隔人物追跡装置を開示している。
【先行技術文献】
【特許文献】
【０００６】
【特許文献１】特開２００４−８６３８３号公報
【特許文献２】特開２００７−４８２６５号公報
【発明の概要】
【発明が解決しようとする課題】
【０００７】
しかしながら、特許文献１が開示する生活モニタリングシステムは、家電機器毎に異常検知の規定となる値が予め決められており、検出した連続動作時間又は連続不動作時間をこの規定値と比較している。
【０００８】
このため、個々の監視対象者の生活リズムに当てはまらない規定値を定義した場合、誤検出をしてしまうという問題がある。
【０００９】
さらに、各世帯での生活リズムは異なることが普通であるため、複数世帯の比較による判断を行えず、検知された異常がその世帯特有の状況であるのか、一般的に起こりうる状況なのかを判断できないという問題がある。
【００１０】
また、特許文献２が開示する遠隔人物追跡装置は、１日を数時間毎の時間帯に区切り、その時間帯内での監視対象者の追跡データを基に重み付けをし、確率的に監視対象者の行動を評価している。
【００１１】
しかしながら、この区切られた時間帯は予め固定されているため、特許文献１が開示する発明と同様に、個々の監視対象者の生活リズムに当てはまらない時間帯を定義した場合、誤検出をしてしまうという問題がある。
【００１２】
さらに、各世帯での生活リズムは異なることが普通であるため、複数世帯の比較による判断を行えず、検知された異常がその世帯特有の状況であるのか、一般的に起こりうる状況なのかを判断できないという問題がある。
【００１３】
本発明は、上記事情に鑑みてなされたものであり、各独居者の行動を時間帯毎に検出し、さらにその時間帯を基に世帯間の情報を比較することができる、より正確に異常を検知する独居者見守りシステム、独居者見守り方法及びプログラムを提供することを目的とする。
【課題を解決するための手段】
【００１４】
上記目的を達成するため、本発明の第１の観点に係る独居者見守りシステムは、
独居者により操作される家電機器の操作状況を検出する操作状況検出手段と、
前記操作状況検出手段により計数された、時間帯別の操作回数の履歴を記憶する履歴記憶手段と、
予め設定された正規化された時間帯別に、履歴より求められた条件と、該条件が成立したときの独居者の安否情報とを対応付けたルールを記憶するルール記憶手段と、
前記独居者毎に定められた基準に従い具体化された前記時間帯の中から現在時刻が属す時間帯を特定する時間帯特定手段と、
前記操作状況検出手段により求められた計数値であって前記時間帯特定手段が特定した時間帯を基準に決定される時間帯における計数値と、前記履歴記憶手段に記録されている履歴とに基づいて、前記ルールに設定されている条件が成立するか否かを判別し、条件が成立しているルールに従って独居者の安否情報を取得する安否情報取得手段と、
前記安否情報取得手段により取得された安否情報を出力する出力手段と、
予め決められた宛先に電子メールを送信するメール送信手段と、を備え、
前記ルールは、時間帯別に、履歴より求められる該時間帯における過去の平均的操作回数と、直近の同一時間帯における計数値との比と、安否情報とを対応付けて記憶しており、
前記安否情報取得手段は、前記操作状況検出手段により求められた過去の平均的操作回数と直近の同一時間帯における計数値との比に基づいて、前記ルールに設定されている条件が成立するか否かを判別し、条件が成立しているルールに従って安否情報を取得し、
前記安否情報は、前記独居者の安否の危険度と該危険度の確信度とを含み、
前記ルールは、時間帯別に、操作状況と危険度と確信度とを対応付ける情報を含み、
前記メール送信手段は、
前記出力手段が出力した安否情報を取得し、
取得した安否情報に含まれる危険度が、予め設定された第１の範囲の値であった場合には電子メールの送信適否を監視者に問い合わせ、問い合わせた結果、前記監視者から電子メールを送信するとの指示を取得した場合には電子メールを送信し、前記監視者から電子メールの送信は不要との指示を取得した場合には電子メールを送信せず、
取得した安否情報に含まれる危険度が、前記第１の範囲より高い危険度の第２の範囲の値であった場合には電子メールの送信適否を前記監視者に問い合わせることなく電子メールを送信する、
ことを特徴とする。
【００１５】
本発明のその他の観点に係る独居者見守りプログラムは、
コンピュータに、
独居者により操作される家電機器の操作状況を検出する操作状況検出ステップと、
前記操作状況検出ステップで計数された、時間帯別の操作回数の履歴を記憶する履歴記憶ステップと、
予め設定された正規化された時間帯別に、履歴より求められた条件と、該条件が成立したときの独居者の安否情報とを対応付けたルールを記憶するルール記憶ステップと、
前記独居者毎に定められた基準に従い具体化された前記時間帯の中から現在時刻が属す時間帯を特定する時間帯特定ステップと、
前記操作状況検出ステップで求められた計数値であって前記時間帯特定ステップで特定した時間帯を基準に決定される時間帯における計数値と、前記履歴記憶ステップで記録された履歴とに基づいて、前記ルールに設定されている条件が成立するか否かを判別し、条件が成立しているルールに従って独居者の安否情報を取得する安否情報取得ステップと、
前記安否情報取得ステップにより取得された安否情報を出力する出力ステップと、
予め決められた宛先に電子メールを送信するメール送信ステップと、を実行させ、
前記ルールは、時間帯別に、履歴より求められる該時間帯における過去の平均的操作回数と、直近の同一時間帯における計数値との比と、安否情報とを対応付けて記憶しており、
前記安否情報取得ステップでは、前記操作状況検出ステップで求められた過去の平均的操作回数と直近の同一時間帯における計数値との比に基づいて、前記ルールに設定されている条件が成立するか否かを判別し、条件が成立しているルールに従って安否情報を取得し、
前記安否情報は、前記独居者の安否の危険度と該危険度の確信度とを含み、
前記ルールは、時間帯別に、操作状況と危険度と確信度とを対応付ける情報を含み、
前記メール送信ステップでは、
前記出力ステップで出力した安否情報を取得し、
取得した安否情報に含まれる危険度が、予め設定された第１の範囲の値であった場合には電子メールの送信適否を監視者に問い合わせ、問い合わせた結果、前記監視者から電子メールを送信するとの指示を取得した場合には電子メールを送信し、前記監視者から電子メールの送信は不要との指示を取得した場合には電子メールを送信せず、
取得した安否情報に含まれる危険度が、前記第１の範囲より高い危険度の第２の範囲の値であった場合には電子メールの送信適否を前記監視者に問い合わせることなく電子メールを送信する、
ことを特徴とする。
【００１６】
本発明のその他の観点に係る独居者見守り方法は、
独居者の異常を検知する独居者見守りシステムにて実行される独居者見守り方法であって、
独居者により操作される家電機器の操作状況を検出する操作状況検出ステップと、
前記操作状況検出ステップで計数された、時間帯別の操作回数の履歴を記憶する履歴記憶ステップと、
予め設定された正規化された時間帯別に、履歴より求められた条件と、該条件が成立したときの独居者の安否情報とを対応付けたルールを記憶するルール記憶ステップと、
前記独居者毎に定められた基準に従い具体化された前記時間帯の中から現在時刻が属す時間帯を特定する時間帯特定ステップと、
前記操作状況検出ステップで求められた計数値であって前記時間帯特定ステップで特定した時間帯を基準に決定される時間帯における計数値と、前記履歴記憶ステップで記録された履歴とに基づいて、前記ルールに設定されている条件が成立するか否かを判別し、条件が成立しているルールに従って独居者の安否情報を取得する安否情報取得ステップと、
前記安否情報取得ステップにより取得された安否情報を出力する出力ステップと、
予め決められた宛先に電子メールを送信するメール送信ステップと、を備え、
前記ルールは、時間帯別に、履歴より求められる該時間帯における過去の平均的操作回数と、直近の同一時間帯における計数値との比と、安否情報とを対応付けて記憶しており、
前記安否情報取得ステップでは、前記操作状況検出ステップで求められた過去の平均的操作回数と直近の同一時間帯における計数値との比に基づいて、前記ルールに設定されている条件が成立するか否かを判別し、条件が成立しているルールに従って安否情報を取得し、
前記安否情報は、前記独居者の安否の危険度と該危険度の確信度とを含み、
前記ルールは、時間帯別に、操作状況と危険度と確信度とを対応付ける情報を含み、
前記メール送信ステップでは、
前記出力ステップで出力した安否情報を取得し、
取得した安否情報に含まれる危険度が、予め設定された第１の範囲の値であった場合には電子メールの送信適否を監視者に問い合わせ、問い合わせた結果、前記監視者から電子メールを送信するとの指示を取得した場合には電子メールを送信し、前記監視者から電子メールの送信は不要との指示を取得した場合には電子メールを送信せず、
取得した安否情報に含まれる危険度が、前記第１の範囲より高い危険度の第２の範囲の値であった場合には電子メールの送信適否を前記監視者に問い合わせることなく電子メールを送信する、
ことを特徴とする。
【発明の効果】
【００１７】
本発明によれば、各独居者の行動を時間帯毎に検出し、さらにその時間帯を基に世帯間の情報を比較することができる、より正確に異常を検知する独居者見守りシステム、独居者見守り方法及びプログラムを提供することができる。
【図面の簡単な説明】
【００１８】
【図１】第１の実施形態に係る独居者見守りシステムの構成を示すブロック図である。
【図２】本発明の実施形態に係る各独居世帯の生活リズムに合わせた時間帯の分類及び定義の一例である。
【図３】第１の実施形態に係るルールデータベースの一例である。
【図４】第１の実施形態に係る履歴情報データベースの一例である。
【図５】第１の実施形態に係る独居者見守りシステムの動作の一例を示すフローチャートである。
【図６】第１の実施形態に係る危険度及び確信度処理の動作の一例を示すフローチャートである。
【図７】第１の実施形態に係る危険度及び確信度の算出方法の具体例である。
【図８】第２の実施形態に係る独居者見守りシステムの構成を示すブロック図である。
【図９】第２の実施形態に係る履歴情報データベースの一例である。
【図１０】第２の実施形態に係るルールデータベースの一例である。
【図１１】第２の実施形態に係る独居者見守りシステムの動作の一例を示すフローチャートである。
【図１２】第２の実施形態に係る危険度及び確信度処理の動作の一例を示すフローチャートである。
【図１３】第２の実施形態に係る危険度及び確信度の算出方法の具体例である。
【図１４】第３の実施形態に係る独居者見守りシステムの構成を示すブロック図である。
【図１５】第３の実施形態に係る電気情報データベースの一例である。
【図１６】第３の実施形態に係る独居者見守りシステムの動作の一例を示すフローチャートである。
【図１７】本発明の実施形態に係る独居者見守りシステムのハードウェア構成の一例を示すブロック図である。
【発明を実施するための形態】
【００１９】
本発明の実施形態に係る独居者見守りシステムを図面に基づいて説明する。
【００２０】
本発明において、危険度は、見守り対象の予め決められた危険性を１以上の段階に分けたもの、確信度は、その危険度が信頼できる程度を示す。
【００２１】
［第１の実施形態］
本実施形態に係る独居者見守りシステムを、図１乃至図７を参照して説明する。
【００２２】
始めに、図１は、本発明の第１の実施形態に係る独居者見守りシステムの構成を示すブロック図である。本実施例の独居者見守りシステム１は、独居者見守り装置１００と、家電機器４と、センサ５と、ネットワーク６と独居世帯８から構成される。
【００２３】
独居者見守り装置１００は、状態遷移判別部１０１と、時刻取得部１０２と、時間帯変換部１０３と、ルール抽出部１０４と、危険度及び確信度処理部１０５と、出力部１０６と、時間帯データベース（以下、時間帯ＤＢという）１０７と、ルールデータベース（以下、ルールＤＢという）１０８及び履歴情報データベース（以下、履歴情報ＤＢという）１０９から構成されている。
【００２４】
家電機器４は、本実施例においては、監視対象としている独居世帯８に設置されている一般世帯の電力で使用される家電機器を指す。例えば、冷蔵庫や電子レンジ、炊飯器といったような機器が該当する。
【００２５】
センサ５は、家電機器４の周囲又は家電機器４に取り付けられているセンサであり、家電機器４が動作する際の動作状態を検知する１つあるいは複数のセンサを用いて構成され、家電機器４の現在の動作状態の情報を１つあるいは複数個取得し、一定時間間隔若しくは家電機器４の状態に変化があった場合などのタイミングで、家電機器４の動作状態の情報を信号としてネットワーク６を介して、状態遷移判別部１０１に送信する。
【００２６】
状態遷移判別部１０１は、ネットワーク６を介してセンサ５から受信した家電機器４の動作状態を具体的な機器状態へと変換し、家電機器４の状態遷移の有無を求め、状態遷移が起きている場合は、時刻取得部１０２より機器状態の出現時刻を受信し、状態遷移の種類とともに、時間帯変換部１０３へと送信する。状態遷移が起きていない場合は、処理を終了する。
【００２７】
時刻取得部１０２は、上述の通り、機器状態の出現時刻を取得する。
【００２８】
時間帯ＤＢ１０７は、各独居世帯８の生活リズムに応じて、１日又は１週間の期間を複数個の生活時間に分類されたデータを予め格納している。さらに、季節毎、月毎に分類されたデータを予め格納してもよい。
【００２９】
時間帯変換部１０３は、時間帯ＤＢ１０７を参照し、状態遷移判別部１０１から受信した出現時刻を、時間帯ＤＢ１０７に定義されている時間帯に変換し、さらにその時間帯の一つ前の時間帯（以下、作業用時間帯という）を求め、状態遷移判別部１０１から受信した状態遷移の種類と共に、ルール抽出部１０４へと送信する。
【００３０】
ルールＤＢ１０８は、状態遷移の種類の出現回数に係るルールと、そのルールと一致した場合に抽出される安否情報とを格納している。安否情報は、危険度と確信度とを含む。このルールは、状態遷移の種類毎に格納され、時間帯ＤＢ１０７が格納している時間帯の数だけ存在する。
【００３１】
ルール抽出部１０４は、時間帯変換部１０３から受信した作業用時間帯と状態遷移の種類の２つの要素に基づいて、ルールＤＢ１０８にある複数のルールの中から当該要素に対応するルールと、そのルールに対応する危険度及び確信度を全て抽出し、作業用時間帯と状態遷移の種類に基づく履歴を、履歴情報ＤＢ１０９に蓄積する。さらに、作業用時間帯及び状態遷移の種類と、ルールＤＢ１０８から抽出したルールと危険度及び確信度を、危険度及び確信度処理部１０５に送信する。
【００３２】
履歴情報ＤＢ１０９は、上述のルール抽出部１０４から時間帯及び状態遷移の種類を受信することで、過去の時間帯における状態遷移の種類の出現回数を蓄積する。
【００３３】
危険度及び確信度処理部１０５は、ルール抽出部１０４から受信した作業用時間帯及び状態遷移の種類を基に、ルール抽出部１０４から受信したルールと照合し、履歴情報ＤＢ１０９から抽出した出現回数との比較を行い、ルールと一致した場合は危険度及び確信度を求め、求めた危険度及び確信度を出力部１０６に送信する。ルールと一致しなかった場合は、まだ警報を発生する段階ではないため、当該独居者の状態に異常は無いという情報を出力部１０６に送信する。
【００３４】
出力部１０６は、危険度及び確信度処理部１０５から送信された危険度と確信度を表示する。この表示された危険度と確信度を比較し、警報発生の適否も求める。当該独居者の状態に異常が無い旨の情報を受信した場合は、当該独居者の状態に異常は無い旨の表示をする。
【００３５】
図２は、本実施例における時間帯ＤＢ１０７に格納されているデータの一例である。当該独居者の１日を５つの時間帯に分類し、それぞれ６時から１１時を「朝」の時間帯、１１時から１６時を「昼」の時間帯、１６時から２０時を「夕」の時間帯、２０時から２３時を「夜」の時間帯、２３時から６時を「就寝」の時間帯とし、さらに１週間のうち月曜日から金曜日を平日、土曜日、日曜日を休日という２つの時間帯に分類することで、合計１０個の時間帯に分類する。なお、これらの区切り方は各独居世帯８毎に異なっていても良い。
【００３６】
図３は、本実施形態におけるルールＤＢ１０８に格納されているデータの一例である。例えば、家電機器４が冷蔵庫である場合、冷蔵庫の開から閉への状態遷移についてのルールが存在し、図示されていないがその他のルール（冷蔵庫の閉から開等）についても存在する。
【００３７】
図４は、本実施形態における履歴情報ＤＢ１０９に格納されているデータの一例である。例えば、家電機器４が冷蔵庫である場合、冷蔵庫の状態遷移の出現時刻より前に出現した開から閉や、閉から開の状態遷移の出現回数を蓄積している。また、この他の機器（冷蔵庫以外の家電機器）や、他の状態遷移についても同様に、過去の出現回数を蓄積している。
【００３８】
図５は、本実施形態における独居者見守り処理の一例を示すフローチャートである。
【００３９】
まず、家電機器４の動作状態に変化が生じると、センサ５は家電機器４の動作状態を信号としてネットワーク６を介して送信する。
【００４０】
例えば、家電機器４が冷蔵庫である場合、冷蔵庫の扉や蓋などの開閉の状態を、既存の開閉センサを用いて収集する。さらに、消費電力情報を既存の電力センサを用いて収集することも可能である。
【００４１】
状態遷移判別部１０１は、ネットワーク６を介してセンサ５からの信号を受信し（Ｓ１０１）、送信元を特定する。
以後、独居者見守りシステム１は、特定した独居者用に設定されている時間帯、ルールなどに基づいて動作する。ただし、理解を容易にするため、逐一言及はしないものとする。
まず、状態遷移判別部１０１は、受信した信号を具体的な機器状態に変換する（Ｓ１０２）。
【００４２】
さらに前回変換した機器状態と比較し、状態遷移の種類を求め（Ｓ１０３）、状態遷移が起きている場合は（Ｓ１０４；Ｙｅｓ）、時刻取得部１０２にて機器状態出現時刻を取得し（Ｓ１０５）、状態遷移の種類とともに、時間帯変換部１０３に送信する。状態遷移が発生していない場合は処理を終了する（Ｓ１０４；Ｎｏ）。
【００４３】
例えば、家電機器４が冷蔵庫であり、センサ５が冷蔵庫の扉に取り付けた開閉センサの場合、状態遷移判別部１０１は、ネットワーク６を介してセンサ５から受信した家電機器４の動作信号を、扉の開状態や閉状態に変換する。さらに、前回の機器状態と比較し、開状態から閉状態への遷移、若しくは閉状態から開状態への遷移などの状態遷移を求める。
【００４４】
時間帯変換部１０３は、受信した機器状態出現時刻を、時間帯ＤＢ１０７を参照して時間帯に変換し（Ｓ１０６）、さらに作業用時間帯を求め（Ｓ１０７）、状態遷移判別部１０１から受信した状態遷移の種類とともに、ルール抽出部１０４に送信する。
【００４５】
例えば、時間帯ＤＢ１０７に格納されているデータが図２に示すデータである場合、機器状態の出現時刻が１３：００であったとすると、図２を参照し、１３：００に対応した時間帯は「昼」の時間帯、となる。その一つ前の時間帯とは、「朝」の時間帯となるため、作業用時間帯は「朝」としてルール抽出部１０４に送信する。
【００４６】
ルール抽出部１０４は、受信した時間帯及び状態遷移の種類に基づく履歴を履歴情報ＤＢ１０９に蓄積し（Ｓ１０８）、さらにルールＤＢ１０８を参照し、作業用時間帯及び状態遷移の種類に該当するルールと、そのルールに対応する危険度及び確信度を抽出し（Ｓ１０９）、作業用時間帯及び状態遷移の種類と、抽出したルールと、危険度及び確信度を危険度及び確信度処理部１０５に送信する。
【００４７】
危険度及び確信度処理部１０５は、危険度及び確信度処理を実行し（Ｓ１１０）、当該独居者の危険度及び確信度を求め、出力部１０６に送信する。
【００４８】
出力部１０６は、危険度及び確信度処理部１０５から受信した情報を基に、警報発生の適否を求め、警報を発生する場合は（Ｓ１１１；Ｙｅｓ）、受信した危険度及び確信度を表示し（Ｓ１１２）、警報を発生しない場合は処理を終了する（Ｓ１１１；Ｎｏ）。
【００４９】
図６は、本実施形態における危険度及び確信度処理の一例を示すフローチャートである。
【００５０】
始めに、危険度及び確信度処理部１０５は、ルール抽出部１０４から受信した作業用時間帯における状態遷移の出現回数を求める（Ｓ２０１）。
【００５１】
次に、履歴情報ＤＢ１０９から抽出した過去の履歴情報から、作業用時間帯までの状態遷移の出現回数を取得し、時間帯あたりの平均出現回数を求める（Ｓ２０２）。
【００５２】
次に、ルール抽出部１０４から受信したルールに従い、上述にて求めた作業用時間帯における状態遷移の出現回数（Ｓ２０１にて求めた値）と、過去の履歴情報から求めた作業用時間帯における平均出現回数（Ｓ２０２にて求めた値）を比較し、ルールと一致するかどうかを判定する（Ｓ２０３）。ルールと一致した場合は（Ｓ２０３；Ｙｅｓ）、次のステップに進み危険度及び確信度を取得し、ルールと一致しなかった場合は（Ｓ２０３；Ｎｏ）、まだ警報を発生する段階ではないため、出力部１０６へ警報が発生していないという情報を送信する（Ｓ２０６）。
【００５３】
ルールと一致した場合は、そのルールに対応する危険度及び確信度を取得する（Ｓ２０４）。この危険度及び確信度が当該独居者の状態となり、危険度及び確信度を出力部１０６へと送信する（Ｓ２０５）。
【００５４】
以下、理解を容易にするために、上述までで説明した危険度及び確信度処理部１０５の具体的な算出方法を、図７を参照して説明する。
【００５５】
平日の朝及び昼の冷蔵庫の開閉の状態が図７（ａ）のように遷移しており、作業用時間帯が平日の朝であり、動作開始の契機となった状態遷移の種類が開から閉への状態遷移の場合は、図６のＳ２０１では、図７（ｂ）に示すように、１回と求めることができる。
【００５６】
次に、履歴情報ＤＢ１０９に蓄積されている履歴情報が、図４に示すデータであり、この値が過去１週間分の履歴情報であった場合、平日の朝の開から閉への状態遷移の合計出現回数は１５回となり、図６のＳ２０２では図７（ｃ）に示すように、平均出現回数は３回（１５÷５）となる。
【００５７】
次に、平日の朝の開から閉への状態遷移におけるルールが、図７（ｄ）に示すように、「状態遷移の出現回数が、平均出現回数の５０％未満」となっている場合、これを上述にて求めた値に当てはめて比較すると、開から閉への状態遷移の回数は１回、過去の平均出現回数の５０％は、１．５回（３回×０．５）となるため、当該ルールと一致することになる。
【００５８】
一致したルールに対応する危険度及び確信度は、一致したルールを参照すると、危険度５、確信度４０、となる。このため、図７（ｅ）に示すように、この危険度及び確信度が出力部１０６に送信される。なお、本実施例では、危険度及び確信度は、一致したルールに対応する危険度及び確信度をそのまま利用しているが、その限りではない。例えば、独居者別に危険度及び確信度に重み付けをした値を独居者の安否情報としても良い。
【００５９】
上記実施形態においては、独居者自身の動き、即ち、家電機器の操作（されたこと）を検出するために、電子機器の状態を検出し、さらに検出した状態の変化から操作を検出したが、独居者自身による操作（例えば、開動作、閉操作、オン操作、オフ操作、移動操作、把持操作等）を直接検出するセンタ５を配置して、独居者見守りシステム１で該センサ５の出力を受信するようにしてもよい。
【００６０】
また、上記実施の形態においては、同一時間帯の過去の平均的な操作回数と直近の時間帯の確定した計数値（操作回数）との比に基づいて、危険度と確信度とを求めたが、過去の平均値に限らず、代表値等であってもよい。
【００６１】
また、現在時刻が属する時間帯の１つ前の時間帯の計数値に基づいて危険度と確信度とを求める例を示したが、どの時間帯の確定した計数値を使用するかは任意であり。例えば、現在時刻が属する時間帯の２つ前、３つ前の所定の時間帯の計数値に基づいて危険度と確信度とを求めることも可能である。
さらに、１つの時間帯の計数値に基づいて危険度と確信度とを求めるだけでなく、複数の時間帯の確定した計数値を使用してもよい。例えば、現在時刻が属する時間帯の直近１日分の５つの時間帯の計数値に基づいて危険度と確信度とを求めることも可能である。この場合、例えば、直近５つの時間帯それぞれについて危険度と確信度とを個別に求め、最後に平均値、代表値等を求める等すればよい。
【００６２】
本実施形態の構成にすることで、以下の利点が生まれる。
まず、各世帯の独居者の生活リズムに応じた時間帯を定義し、ある機器の状態遷移の出現回数と、当該機器の状態遷移が出現するまでの過去の時間帯当たりの当該状態遷移の平均出現回数を比較し、危険度及び確信度を求めるように構成しているため、独居者の生活リズムを崩さずに異常を検知することができる。
次に、各世帯の独居者に応じて分類した時間帯を基準にし、世帯間の異常検知結果を比較することで、生活リズムの異なる独居者同士でも、異常検知結果を比較することが可能となる。
【００６３】
［第２の実施形態］
本実施形態に係る独居者見守りシステムを、図８乃至図１３を参照して説明する。
【００６４】
始めに、図８は、本発明の第２の実施形態に係る独居者見守りシステムの構成を示すブロック図である。本実施例の独居者見守りシステム２は、独居者見守り装置２００と、家電機器４と、センサ５と、ネットワーク６と、独居世帯８から構成される。
【００６５】
独居者見守り装置２００の構成は、第１の実施形態と同じく、状態遷移判別部１０１と、時刻取得部１０２と、時間帯変換部１０３と、ルール抽出部１０４と、危険度及び確信度処理部１０５と、出力部１０６と、時間帯ＤＢ１０７と、ルールＤＢ１０８及び履歴情報ＤＢ１０９から構成されている。
【００６６】
本実施例において、家電機器４及びセンサ５は、第１の実施形態に係る独居者見守りシステム１と同様の構成であり、出力部１０６は第１の実施形態に係る独居者見守り装置１００と同様の処理となっているため、ここでは説明を省く。
【００６７】
なお、本実施例における各独居世帯８の生活リズムに合わせた時間帯の定義も、第１の実施形態における定義と同等の意味のものとする。
【００６８】
履歴情報ＤＢ１０９は、機器状態に対応する最後の確信度算出時刻（以下、処理完了時刻という）、出現時刻、危険度及び確信度を蓄積している。
【００６９】
状態遷移判別部１０１は、第１の実施形態と同様に、ネットワーク６を介してセンサ５から受信した家電機器４の動作状態の信号を具体的な機器状態へと変換し、家電機器４の状態遷移を求め、時刻取得部１０２から、機器状態の出現時刻と処理完了時刻を受信する。
【００７０】
状態遷移が起きている場合は、履歴情報ＤＢ１０９を初期化し、処理を終了する。
【００７１】
状態遷移が起きていない場合は、履歴情報ＤＢ１０９を更新し、機器状態とその出現時刻及び処理完了時刻を、時間帯変換部１０３へ送信する。
【００７２】
時刻取得部１０２は、上述の通り、機器状態の出現時刻と、履歴情報ＤＢ１０９を参照し、処理完了時刻を取得する。
【００７３】
時間帯変換部１０３は、時間帯ＤＢ１０７を参照し、状態遷移判別部１０１から受信した出現時刻と処理完了時刻を、時間帯ＤＢ１０７に定義されている時間帯に変換し、状態遷移判別部１０１から受信した機器状態と共にルール抽出部１０４へ送信する。
【００７４】
ルールＤＢ１０８は、機器状態毎に、危険度と、時間帯毎に定義したルールを予め格納している。このルールは、確信度を求めるために必要なパラメータであり、処理完了時刻から出現時刻までに経過した時間に従い、パラメータを用いて確信度を増加させる。
【００７５】
ルール抽出部１０４は、時間帯変換部１０３から受信した時間帯と機器状態に基づいて、ルールＤＢ１０８にある複数のルールから、出現時刻から変換された時間帯と機器状態に対応するルールと、処理完了時刻から変換された時間帯と機器状態に対応するルールと、機器状態に対応する危険度を抽出し、抽出した各ルール及び危険度と、時間帯変換部１０３から受信した時間帯を、危険度及び確信度処理部１０５へ送信する。
【００７６】
危険度及び確信度処理部１０５は、ルール抽出部１０４から受信したルールを基に、危険度及び確信度を求め、求めた危険度及び確信度を出力部１０６に送信する。
【００７７】
図９は、本実施形態における履歴情報ＤＢ１０９に格納されているデータの一例である。例えば家電機器４が冷蔵庫である場合は、機器状態（開状態や閉状態）に対応する処理完了時刻、出現時刻、危険度及び確信度を蓄積している。また、図示されていないが、この他の機器や、他の状態についても同様に機器状態に対応する処理完了時刻、出現時刻、危険度及び確信度が蓄積されている。
【００７８】
図１０は、本実施例におけるルールＤＢ１０８に格納されているデータの一例である。例えば、家電機器４が冷蔵庫の場合、開状態についてのルールが時間帯毎に存在する。図１０のルールにおいて、確信度が０の場合に、処理完了時刻から出現時刻までに経過した時間から、確信度の初期値を求めるために処理完了時刻に加算するパラメータを初期時間、その際に確信度に代入するパラメータを初期値、確信度が０以外の場合に、経過した時間から確信度を増加するために処理完了時刻に加算するパラメータを増加時間、その際に確信度に加算するパラメータを増加値と表す。
【００７９】
図１１は、本実施形態における独居者見守り処理の一例を示すフローチャートである。
【００８０】
まず、家電機器４の動作状態に変化が生じると、センサ５は家電機器４の動作状態を信号としてネットワーク６を介して送信する。例えば、家電機器４が冷蔵庫である場合、センサ５は、第１の実施形態と同様に、冷蔵庫の扉や蓋などの開閉の状態を送信する。
【００８１】
状態遷移判別部１０１は、ネットワーク６を介してセンサ５からの信号を受信し（Ｓ３０１）、受信した信号を具体的な機器状態に変換する（Ｓ３０２）。さらに前回変換した機器状態と比較し、状態遷移の種類を求め、（Ｓ３０３）時刻取得部１０２から、機器状態の出現時刻と処理完了時刻を取得する（Ｓ３０４）
【００８２】
状態遷移が起きている場合は（Ｓ３０５；Ｙｅｓ）、履歴情報ＤＢ１０９の前回処理していた項目を初期化し（Ｓ３０６）、処理完了時刻を出現時刻に置き換え、履歴情報ＤＢ１０９に蓄積し（Ｓ３０７）、処理を終了する。
【００８３】
状態遷移が発生していない場合は（Ｓ３０５；Ｎｏ）、機器状態と出現時刻を履歴情報ＤＢ１０９に蓄積し（Ｓ３０８）、機器状態とその出現時刻及び処理完了時刻を、時間帯変換部１０３へ送信する。
【００８４】
時間帯変換部１０３は、時間帯ＤＢ１０７を参照し、受信した出現時刻及び処理完了時刻を時間帯に変換し（Ｓ３０９）、機器状態とともにルール抽出部１０４に送信する。
【００８５】
ルール抽出部１０４は、受信した機器状態及び時間帯を基に、ルールＤＢ１０８を参照し、出現時刻から変換された時間帯と機器状態に対応するルールと、処理完了時刻から変換された時間帯と機器状態に対応するルールと、機器状態に対応する危険度を抽出し（Ｓ３１０）、機器状態及び時間帯とともに危険度及び確信度処理部１０５に送信する。
【００８６】
危険度及び確信度処理部１０５は、危険度及び確信度処理を実行し（Ｓ３１１）、当該独居者の危険度及び確信度を求め、出力部１０６に送信する。
【００８７】
出力部１０６は、危険度及び確信度処理部１０５から受信した情報を基に、警報発生の適否を求め（Ｓ３１２）、警報を発生する場合は、受信した危険度及び確信度を表示し（Ｓ３１３）、警報を発生しない場合は処理を終了する。
【００８８】
図１２は、本実施形態における危険度及び確信度処理の一例を示すフローチャートである。
【００８９】
危険度及び確信度処理部１０５は、履歴情報ＤＢ１０９に蓄積されている機器状態に対応する確信度を抽出し、その確信度が０であるかどうかを判定する（Ｓ４０１）。確信度が０の場合は（Ｓ４０１；Ｙｅｓ）、まだ警報が発生していないことを表し、ルール抽出部１０４から受信したルールにおける初期時間及び初期値を適用するために次のステップへ進む。確信度が０でない場合は（Ｓ４０１；Ｎｏ）、すでに前回の動作から警報が発生されていることを表し、ルール抽出部１０４から受信したルールにおける増加時間及び増加値を適用するためのステップへ進む。
【００９０】
次に、上述にて履歴情報ＤＢ１０９から抽出した確信度が０であった場合は、履歴情報ＤＢ１０９に蓄積されている機器状態に対応する処理完了時刻に初期時間を加算すると、出現時刻を上回るかどうかを判定し（Ｓ４０２）、上回らない場合は（Ｓ４０２；Ｎｏ）、次のステップへ進み、上回る場合は（Ｓ４０２；Ｙｅｓ）、まだ警報を発生させる段階ではないため、危険度及び確信度を求めず、出力部１０６へ警報が発生していないという情報を送信する。
【００９１】
上述にて、処理完了時刻に初期時間を加算しても出現時刻を上回らない場合は、履歴情報ＤＢ１０９に蓄積されている機器状態に対応する処理完了時刻に、初期時間を加算し（Ｓ４０３）、確信度には初期値を代入し、危険度には機器状態に対応した危険度を代入する（Ｓ４０４）。
【００９２】
次に、履歴情報ＤＢ１０９に蓄積されている機器状態に対応する処理完了時刻に増加時間を加算すると、出現時刻を上回るかどうかを判定し（Ｓ４０５）、上回らない場合は（Ｓ４０５；Ｙｅｓ）次のステップへと進み、上回る場合は（Ｓ４０５；Ｎｏ）、機器状態に対応する危険度及び確信度を出力部１０６へ送信する（Ｓ４０８）。
【００９３】
上述にて、処理完了時刻に増加時間を加算しても出現時刻を上回らない場合は、履歴情報ＤＢ１０９に蓄積されている機器状態に対応する処理完了時刻に増加時間を加算し（Ｓ４０６）、確信度には増加値を加算し（Ｓ４０７）、上述の判定（Ｓ４０５）へと戻る。処理完了時刻に増加時間を加算することで時間帯が変わる場合には、処理完了時刻から変換された時間帯を次の時間帯に更新する。この次の時間帯とは、例えば、第１の実施の形態における図２に示すような時間帯の場合、処理完了時刻から変換された時間帯が「昼」の時間帯だった場合は、次の時間帯は「夕」となり、処理完了時刻から更新された時間帯が「就寝」の時間帯だった場合は次の時間帯は「朝」となる。
【００９４】
以下、理解を容易にするために、上述までで説明した危険度及び確信度処理部１０５の具体的な算出方法を、図１３を参照して説明する。
【００９５】
始めに、図１３（ａ）は、例えば、家電機器４が冷蔵庫である場合、履歴情報ＤＢ１０９の冷蔵庫の扉の開状態の各パラメータを表しており、図１３（ａ）の段階では状態遷移判別部１０１によって初期化されている状態である。また、このとき冷蔵庫の扉は閉まっており、状態遷移判別部１０１は閉状態を検出しているとする。
【００９６】
ここで、冷蔵庫の扉が開かれると、センサ５は開状態を取得し、状態遷移判別部１０１は状態遷移が起きていると判断し、図１３（ｂ）に示すように、時刻取得部１０２から受信した処理完了時刻に冷蔵庫の開状態の出現時刻を代入し、履歴情報ＤＢ１０９に冷蔵庫の開状態の項目の処理完了時刻と出現時刻を更新する。
【００９７】
次に、図１３（ｃ）は、前回から時間が経過し、再びセンサ５で冷蔵庫の扉の開状態が取得され、状態遷移判別部１０１は、状態遷移は起きていないと判断し、冷蔵庫の出現時刻が更新されていることを表している。
【００９８】
図１３（ｃ）の場合、確信度は０であることから、図１２のＳ４０１では次のステップ（図１２のＳ４０２）へと進む。
【００９９】
ルール抽出部１０４により抽出されたルールが、図１３（ｉ）に示すルールの場合、平日の昼の時間帯における開状態のルールの初期時間は４５分であり、この場合、図１３（ｃ）では、処理完了時刻に初期時間４５分を加算しても、出現時刻を上回らないため、次のステップ（図１２のＳ４０３）へと進む。
【０１００】
次に、図１３（ｄ）は、図１２のＳ４０３及びＳ４０４の処理により、図１３（ｃ）の処理完了時刻に初期時間４５分を加算し、確信度に初期値１０を代入、危険度に冷蔵庫の開状態に対応する値を代入したものである。
【０１０１】
図１３（ｄ）では、処理完了時刻に増加時間２０分を加算すると、出現時刻を上回るため、図１２のＳ４０５にて処理が終了し、出力部１０６は、図１３（ｄ）の危険度（５）及び確信度（１０）を表示することになる。
【０１０２】
次に、図１３（ｅ）は、図１３（ｄ）の状態からさらに時間が経過し、再度冷蔵庫の扉の開状態を検出し、出現時刻を更新した状態である。この状態において、確信度は０では無いため、図１２のＳ４０１から図１２のＳ４０５へと処理が進むこととなる。図１３（ｅ）では、処理完了時刻に、図１３（ｉ）における平日の昼の時間帯のルールの増加時間２０分を加算しても、出現時刻を上回らないため、次のステップ（図１２のＳ４０６）へと処理が進む。
【０１０３】
次に、図１３（ｆ）は、図１２のＳ４０６及びＳ４０７の処理により、図１３（ｅ）の状態から、増加時間２０分を処理完了時刻に加算し、確信度に増加値１０を加算した状態である。
【０１０４】
次に、図１３（ｇ）は、再度図１２のＳ４０５の判定において、図１３（ｆ）の処理完了時刻に増加時間２０分を加算しても、出現時刻を上回らないため、図１２のＳ４０６及びＳ４０７の処理により、増加時間２０分を処理完了時刻に、増加値１０を確信度に加算した状態である。ただし、加算された後の処理完了時刻に対応する時間帯が昼から夕に遷移するため、次の増加時間と確信度の加算の際には、冷蔵庫の夕の時間帯における開状態のルールが適用されることになる。
【０１０５】
次に、図１３（ｈ）は、再度図１２のＳ４０５の判定において、図１３（ｇ）の処理完了時刻に平日の夕の時間帯のルールの増加時間１０分を加算しても、出現時刻を上回らないため、図１２のＳ４０６及びＳ４０７の処理により、増加時間１０分を処理完了時刻に、増加値１５を確信度に加算した状態である。この状態から再度図１２のＳ４０５の判定に戻るが、図１３（ｈ）の処理完了時刻に増加時間１０分を加算すると、出現時刻を上回るために処理終了となり、出力部１０６は図１３（ｈ）の危険度（５）及び確信度（４５）を表示することとなる。
【０１０６】
上述の実施例のように、処理完了時刻を加算することにより時間帯が遷移する場合の処理完了時刻と確信度の加算方法は、処理完了時刻に対応する時間帯のルールの増加時間と確信度の増加値である必要はなく、例えば、出現時刻に対応する時間帯のルールの増加時間と確信度の増加値を加算しても良い。また、その他に処理完了時刻から時間帯の変わり目までの時間を求め、その時間と処理完了時刻に対応する時間帯のルールの増加時間の割合を求め、確信度を掛けた値を確信度に加算し、時間帯の変わり目の時間を処理完了時刻に更新しても良い。
【０１０７】
本実施形態の構成にすることで、以下の利点が生まれる。
まず、ある機器の状態の経過時間によって危険度及び確信度を求めるように構成し、第１の実施形態と同様に各世帯の独居者の生活リズムに応じた時間帯を定義しているため、独居者の生活リズムを崩さずに異常を検知することができる。
次に、第１の実施形態と同様に、各世帯の独居者に応じて分類した時間帯を基準にし、世帯間の異常検知結果を比較することで、生活リズムの異なる独居者同士でも、異常検知結果を比較することが可能となる。
【０１０８】
［第３の実施形態］
本実施形態に係る独居者見守りシステムを、図１４乃至図１６を参照して説明する。
【０１０９】
始めに、図１４は、本発明の第３の実施形態に係る独居者見守りシステムの構成を示すブロック図である。本実施例の独居者見守りシステム３は、独居者見守り装置３００と、家電機器４と、センサ５と、ネットワーク６と、独居世帯８から構成される。
【０１１０】
独居者見守り装置３００の構成は、状態遷移判別部１０１と、時刻取得部１０２と、時間帯変換部１０３と、ルール抽出部１０４と、危険度及び確信度処理部１０５と、出力部１０６と、時間帯ＤＢ１０７と、ルールＤＢ１０８と、履歴情報ＤＢ１０９と、電気情報変換部１１０と、電気情報データベース（以下、電気情報ＤＢという）１１１及びメール送信部１１２から構成されている。
【０１１１】
本実施例において、センサ５は、第１の実施形態及び第２の実施形態に係る独居者見守りシステム１及び２の構成とは異なる。
【０１１２】
また、電気情報変換部１１０、電気情報ＤＢ１１１、メール送信部１１２及び出力部１０６を除く独居者見守り装置３００の構成は、第１の実施形態及び第２の実施形態に係る独居者見守り装置１００及び２００の構成と同じであるため、ここでは説明を省く。
【０１１３】
センサ５は、家電機器４の周囲又は家電機器４に取り付けられているセンサであり、家電機器４が動作する際の電流、電圧、電力のうち少なくとも一つを含む電気情報を計測するセンサを用いて構成される。これは既存の電流計、電圧計、電力計を用いて実現することができる。センサ５は、一定時間間隔若しくは値に変化が生じるタイミングで、少なくとも一つの電気情報を計測し、ネットワーク６を介して、電気情報変換部へ信号を送信する。
【０１１４】
電気情報ＤＢ１１１は、家電機器４の種類に対応して、各電気情報における機器状態を予め格納している。
【０１１５】
電気情報変換部１１０は、ネットワーク６を介してセンサ５から受信した電気情報を基に、家電機器４の種類を求める。家電機器４の種類の求め方は、一般的に知られている、電気情報の波形から特徴量を求め、この特徴量を既知の家電機器４の特徴量と比較し、家電機器４の種類を求める手法を用いる。さらに、電気情報変換部１１０は、家電機器４の種類を求めると、当該種類及び電気情報を基に電気情報ＤＢ１１１を参照し、機器状態を求め、求めた機器状態を状態遷移判別部１０１に送信する。
【０１１６】
この先の処理は、第１の実施形態に係る独居者見守り装置１００で説明した処理でも、第２の実施形態に係る独居者見守り装置２００で説明した処理でも良い。
【０１１７】
出力部１０６は、第１の実施形態及び第２の実施形態に係る独居者見守り装置１００及び２００と同様に、危険度及び確信度処理部１０５から受信した危険度と確信度を表示する。さらに、出力部１０６は、メール送信部１１２に危険度及び確信度を送信する。
【０１１８】
メール送信部１１２は、出力部１０６から受信した危険度及び確信度を基に、監視者への問い合わせ適否を求め、監視者への問い合わせが必要な場合は、出力部１０６を介して監視者に問い合わせ、電子メールの送信可否を判断させる。監視者が電子メールを送信すると判断した場合は、電子メールを送信し、そうでない場合は処理を終了する。監視者への問い合わせが不要な場合、電子メールを送信し、処理を終了する。
【０１１９】
図１５は、本実施形態における電気情報ＤＢ１１１に格納されているデータの一例である。図１５のように、電気情報ＤＢ１１１は、家電機器４の電気情報に対応した機器状態が格納されている。図１５の例では、家電機器の種類は、炊飯器、テレビ、電気ポットの例を示しているが、これに限らない。また、電気情報は、電力値として例を示しているが、これに限らない。
【０１２０】
図１６は、本実施例における独居者見守り処理の一例を示すフローチャートである。
【０１２１】
まず、家電機器４は、動作状態に変化が生じると、センサ５は、家電機器４の電気情報を信号として、ネットワーク６を介して電気情報変換部１１０に送信する。
【０１２２】
例えば、家電機器４がテレビである場合、センサ５は、テレビのスイッチがＯＮになると、このときの電気情報を取得し、独居者見守り装置３００に送信する。
【０１２３】
電気情報変換部１１０は、ネットワーク６を介してセンサ５からの信号を受信し（Ｓ１０１）、受信した電気情報を基に、その情報の特徴量を求める（Ｓ５０１）。
【０１２４】
求めた特徴量を各家電機器４の特徴量と比較し、家電機器４の種類を求める（Ｓ５０２）。
【０１２５】
例えば、家電機器４がテレビである場合、受信した電気情報から特徴量を求め、その特徴量がテレビの特徴量と一致する場合、家電機器４はテレビであると求める。
【０１２６】
次に、受信した電気情報を基に、電気情報ＤＢ１１１を参照して、機器状態を求める（Ｓ５０３）。そして求めた機器状態を、状態遷移判別部１０１に送信する。
【０１２７】
例えば、電気情報ＤＢ１１１が格納するデータが、図１５に示すデータであるとすると、家電機器４がテレビであり、受信した電気情報が電力値１５Ｗであった場合は、機器状態は、ＯＮの状態だと求められ、ＯＮの状態が状態遷移判別部１０１に送信される。
【０１２８】
この先の処理は、第１の実施形態に係る独居者見守り装置１００で説明した処理、若しくは第２の実施形態に係る独居者見守り装置２００で説明した処理をする（Ｓ５０４）。
【０１２９】
メール送信部１１２は、出力部１０６から受信した危険度及び確信度を基に、監視者への問い合わせ可否を求め（Ｓ５０５）、問い合わせが必要な場合（Ｓ５０５；Ｙｅｓ）、出力部１０６を介して監視者に問い合わせる（Ｓ５０６）。問い合わせが不要な場合は（Ｓ５０５；Ｎｏ）、電子メールを送信し、処理を終了する。監視者に問い合わせた結果、電子メールを送信すると指示された場合は（Ｓ５０７；Ｙｅｓ）電子メールを送信する（Ｓ５０８）。電子メールの送信は不要だと判断された場合は（Ｓ５０７：Ｎｏ）、処理を終了する。
【０１３０】
例えば、メール送信部１１２は、危険度が１から３であった場合は、監視者に対して電子メールの送信適否を問い合わせ、危険度が４から５であった場合は、無条件に電子メールを送信する、という処理を実行する。
【０１３１】
電子メールの宛先は、予め決められた宛先でも良く、家電機器４の所有者に対応した宛先でも良い。
【０１３２】
本実施形態の構成は、危険度及び確信度の求め方は第１の実施形態及び第２の実施形態の構成と同様であるため、本実施形態にすることで生まれる利点は、第１の実施形態及び第２の実施形態と同様である。
【０１３３】
なお、独居者の安否情報として、危険度と確信度とを例示したが、他の指標を使用することも可能である。例えば、安全度と確信度、生存率と確信度、等を安否情報として使用することも可能である。
【０１３４】
図１７は、図１及び図８及び図１４に示す本発明の実施の形態に係る独居者見守り装置の物理的な構成例を示すブロック図である。独居者見守り装置は、図１７に示すように、制御部７１、主記憶部７２、外部記憶部７３、操作部７４、表示部７５及び送受信部７６を備える。主記憶部７２、外部記憶部７３、操作部７４、表示部７５及び送受信部７６はいずれも内部バス７０を介して制御部７１に接続されている。
【０１３５】
制御部７１は、ＣＰＵ（Central Processing Unit）等から構成され、外部記憶部７３に記憶されている制御プログラム７９に従って、独居者見守り装置の状態遷移判別部１０１、時刻取得部１０２、時間帯変換部１０３、ルール抽出部１０４、危険度及び確信度処理部１０５、出力部１０６、電気情報変換部１１０及びメール送信部１１２の各処理を実行する。
【０１３６】
主記憶部７２は、ＲＡＭ（Random-Access Memory）等から構成され、外部記憶部７３に記憶されている制御プログラム７９をロードし、制御部７１の作業領域として使用される。
【０１３７】
外部記憶部７３は、フラッシュメモリ、ハードディスク、ＤＶＤ−ＲＡＭ（Digital Versatile Disc Random-Access Memory）、ＤＶＤ−ＲＷ（Digital Versatile Disc ReWritable）等の不揮発性メモリから構成され、上述の処理を制御部７１に行わせるための制御プログラム７９を予め記憶し、また、制御部７１の指示に従って、この制御プログラム７９が記憶するデータを制御部７１に供給し、制御部７１から供給されたデータを記憶する。
【０１３８】
操作部７４は、キーボード及びマウスなどのポインティングデバイス等と、キーボード及びポインティングデバイス等を内部バス７０に接続するインタフェース装置から構成されている。
【０１３９】
表示部７５は、ＣＲＴ（Cathode Ray Tube）又はＬＣＤ（Liquid Crystal Display）等から構成され、独居者の危険度及び確信度の結果などを表示する。
【０１４０】
送受信部７６は、ネットワーク６に接続する網終端装置または無線通信装置、及びそれらと接続するシリアルインタフェースまたはＬＡＮ（Local Area Network）インタフェースから構成されている。送受信部７６は、ネットワーク６を介して、センサ５及び独居者見守り装置に接続する。
【０１４１】
図１及び図８及び図１４に示す独居者見守り装置の状態遷移判別部１０１、時刻取得部１０２、時間帯変換部１０３、ルール抽出部１０４、危険度及び確信度処理部１０５、出力部１０６、電気情報変換部１１０及びメール送信部１１２の処理は、制御プログラム７９が、制御部７１、主記憶部７２、外部記憶部７３、操作部７４、表示部７５及び送受信部７６等を資源として用いて処理することによって実行する。
【０１４２】
その他、上述の物理的な構成や、フローチャートは一例であり、任意に変更及び修正が可能である。
【０１４３】
制御部７１、主記憶部７２、外部記憶部７３、操作部７４、内部バス７０等から構成される制御処理を行う中心となる部分は、専用のシステムによらず、通常のコンピュータシステムを用いて実現可能である。例えば、前記の動作を実行するためのコンピュータプログラムを、コンピュータが読み取り可能な記憶媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する独居者見守り装置を構成しても良い。また、インターネット等の通信ネットワーク上のサーバ装置が有する記憶装置に当該コンピュータプログラムを格納しておき、通常のコンピュータシステムがダウンロード等することで独居者見守り装置を構成しても良い。
【０１４４】
また、独居者見守り装置の機能を、ＯＳ（オペレーティングシステム）とアプリケーションプログラムの分担、またはＯＳとアプリケーションプログラムの協働により実現する場合には、アプリケーションプログラム部分のみを記憶媒体や記憶装置に格納しても良い。
【０１４５】
また、搬送波にコンピュータプログラムを重畳し、通信ネットワークを介して配信することも可能である。例えば、通信ネットワーク上の掲示板（ＢＢＳ：Bulletin Board System）に上述のコンピュータプログラムを掲示し、ネットワークを介して前記コンピュータプログラムを配信しても良い。そして、このコンピュータを起動し、ＯＳの制御下で、他のアプリケーションプログラムと同様に実行することにより、前記の処理を実行できるように構成しても良い。
【０１４６】
上記の実施形態の一部又は全ては、以下の付記のようにも記載されうるが、以下には限られない。
【０１４７】
（付記１）
独居者により操作される家電機器の操作状況を検出する操作状況検出手段と、
予め設定された時間帯別に、前記操作状況検出手段により検出された操作状況と独居者の安否情報とを関連付けるルールを記憶するルール記憶手段と、
現在時刻が属す時間帯を特定する時間帯特定手段と、
前記時間帯特定手段が特定した時間帯と前記操作状況検出手段により検出された操作状況に基づいて、前記ルール記憶手段に記憶されたルールに従って独居者の安否情報を求める安否情報取得手段と、
前記安否情報取得手段により取得された安否情報を出力する出力手段と、
を備える、
ことを特徴とする独居者見守りシステム。
【０１４８】
（付記２）
前記操作状況検出手段は、予め設定された前記時間帯別に、前記家電機器の操作回数を計数する計数手段を備え、
前記ルール記憶手段は、前記時間帯と各時間帯における前記家電機器の操作回数と独居者の安否情報とを関連付けるルールを記憶しており、
前記安否情報取得手段は、前記時間帯特定手段が特定する現在の時間帯よりも所定数前の時間帯と、該時間帯において前記計数手段により計数された操作回数を、前記ルール記憶手段に記憶されたルールに適応することにより、独居者の安否情報を求める、
ことを特徴とする付記１に記載の独居者見守りシステム。
【０１４９】
（付記３）
前記操作状況検出手段は、前記操作検出手段が家電機器の操作を検出したときに、検出時点の時間帯における前記家電機器の操作回数を更新し、
前記安否情報取得手段は、現時点が属す時間帯の１つ前の時間帯における操作の回数を、前記ルール記憶手段に記憶されたルールに適応して、安否情報を求める、
ことを特徴とする付記１又は２に記載の独居者見守りシステム。
【０１５０】
（付記４）
前記操作状況検出手段により計数された、時間帯別の操作回数の履歴を記憶する履歴記憶手段を備え、
前記ルールは、時間帯別に、履歴より求められた条件と、該条件が成立したときの安否情報とを対応付けて記憶しており、
前記安否情報取得手段は、前記操作状況検出手段により求められた所定の時間帯における計数値と、前記履歴記録手段に記録されている履歴とに基づいて、前記ルールに設定されている条件が成立するか否かを判別し、条件が成立しているルールに従って安否情報を取得する、
ことを特徴とする付記１又は２に記載の独居者見守りシステム。
【０１５１】
（付記５）
前記ルールは、時間帯別に、履歴より求められる該時間帯における過去の平均的操作回数と、直近の同一時間帯における計数値との比と、安否情報とを対応付けて記憶しており、
前記安否情報取得手段は、前記操作状況検出手段により求められた過去の平均的操作回数と直近の同一時間帯における計数値との比に基づいて安否情報を取得する、
ことを特徴とする付記１又は２に記載の独居者見守りシステム。
【０１５２】
（付記６）
前記安否情報は、前記独居者の安否の危険度と該危険度の確信度とを含み、
前記ルールは、時間帯別に、操作状況と危険度と確信度とを対応付ける情報を含む、
ことを特徴とする付記１乃至５のいずれか１項に記載の独居者見守りシステム。
【０１５３】
（付記７）
前記操作状況検出手段は、独居者により操作される家電機器の無操作の継続時間を検出する無操作継続時間検出手段を備え、
前記ルールは、時間帯と該時間帯用の加算値を記憶しており、
前記無操作継続時間検出手段が測定した継続時間に応じて、時間帯に対応する加算値を前記ルールから求めて累算する累算手段を備え、
前記安否情報取得手段は、前記累算手段よる累算値に基づいて安否情報を求める、
ことを特徴とする付記１に記載の独居者見守りシステム。
【０１５４】
（付記８）
前記安否情報は、前記独居者の安否の危険度と該危険度の確信度とを含み、
前記家電機器は複数の分類に分類されており、分類別に危険度が設定されており、
前記安否情報取得手段は、前記家電機器が属す分類に割り当てられている危険度と、前記ルールに基づいて求めた累算値に対応する確信度を取得する、
ことを特徴とする付記１又は７に記載の独居者見守りシステム。
【０１５５】
（付記９）
前記操作状況検出手段は、前記家電機器の消費電力を求める手段と、消費電力の変化に基づいて、前記家電機器への操作を検出する手段と、を備える、
ことを特徴とする付記１乃至８のいずれか１項に記載の独居者見守りシステム。
【０１５６】
（付記１０）
前記時間帯は、一日を朝、昼、夕、夜、就寝時間の五つの生活時間帯に分類されている、
ことを特徴とする付記１乃至９のいずれか１項に記載の独居者見守りシステム。
【０１５７】
（付記１１）
前記安否情報を基に電子メールを送信するか否かを判別し、必要がある場合は電子メールを送信するメール送信手段と、を備える、
ことを特徴とする付記１乃至１０のいずれか１項に記載の独居者見守りシステム。
【０１５８】
（付記１２）
コンピュータに、
独居者により操作される家電機器の操作状況を検出する操作状況検出ステップと、
予め設定された時間帯別に、前記操作状況検出ステップにより検出された操作状況と独居者の安否情報とを関連付けるルールを記憶するルール記憶ステップと、
現在時刻が属す時間帯を特定する時間帯特定ステップと、
前記時間帯特定ステップが特定した時間帯と前記操作状況検出ステップにより検出された操作状況に基づいて、前記ルール記憶ステップに記憶されたルールに従って独居者の安否情報を求める安否情報取得ステップと、
前記安否情報取得ステップにより取得された安否情報を出力する出力ステップと、を実行させる、
ことを特徴とする独居者見守りプログラム。
【０１５９】
（付記１３）
独居者の異常を検知する独居者見守りシステムにて実行される独居者見守り方法であって、
独居者により操作される家電機器の操作状況を検出する操作状況検出ステップと、
予め設定された時間帯別に、前記操作状況検出ステップにより検出された操作状況と独居者の安否情報とを関連付けるルールを記憶するルール記憶ステップと、
現在時刻が属す時間帯を特定する時間帯特定ステップと、
前記時間帯特定ステップが特定した時間帯と前記操作状況検出ステップにより検出された操作状況に基づいて、前記ルール記憶ステップに記憶されたルールに従って独居者の安否情報を求める安否情報取得ステップと、
前記安否情報取得ステップにより取得された安否情報を出力する出力ステップと、を備える、
ことを特徴とする独居者見守り方法。
【符号の説明】
【０１６０】
１、２、３  独居者見守りシステム
１００、２００、３００  独居者見守り装置
１０１  状態遷移判別部
１０２  時刻取得部
１０３  時間帯変換部
１０４  ルール抽出部
１０５  危険度及び確信度処理部
１０６  出力部
１０７  時間帯データベース
１０８  ルールデータベース
１０９  履歴情報データベース
１１０  電気情報変換部
１１１  電気情報データベース
１１２  メール送信部
４      家電機器
５      センサ
６      ネットワーク
７０    内部バス
７１    制御部
７２    主記憶部
７３    外部記憶部
７４    操作部
７５    表示部
７６    送受信部
８      独居世帯
【図１】
0005441194.tif 000002
【図２】
0005441194.tif 000003
【図３】
0005441194.tif 000004
【図４】
0005441194.tif 000005
【図５】
0005441194.tif 000006
【図６】
0005441194.tif 000007
【図７】
0005441194.tif 000008
【図８】
0005441194.tif 000009
【図９】
0005441194.tif 000010
【図１０】
0005441194.tif 000011
【図１１】
0005441194.tif 000012
【図１２】
0005441194.tif 000013
【図１３】
0005441194.tif 000014
【図１４】
0005441194.tif 000015
【図１５】
0005441194.tif 000016
【図１６】
0005441194.tif 000017
【図１７】
0005441194.tif 000018